(57)【特許請求の範囲】
【請求項１】
点光源であるＬＥＤを主走査方向に複数個並べて原稿を照射する照射手段と、
前記原稿からの反射光を受光して光を電気信号に変換する変換手段と、
強制的にハレーションを発生させるハレーション発生手段と、
前記ハレーションを検出するハレーション検出手段と、
前記原稿のサイズを検出する原稿サイズ検出手段と、
前記ＬＥＤを点灯させるエリアを制御する制御手段と、を有し、
前記ハレーション検出手段は、
前記ハレーションの発生位置に基づいて、前記原稿に対する前記ＬＥＤの実装位置を検出し、
前記制御手段は、
前記ＬＥＤの実装位置と、前記原稿のサイズとを比較することにより、前記ＬＥＤを点灯させるエリアを判断することを特徴とする画像読取装置。
【請求項２】
前記原稿の読み取り方法別に、前記原稿の読み取り位置を検出する読み取り位置検出手段を有し、
前記制御手段は、
前記ＬＥＤの実装位置と、前記原稿のサイズと、前記原稿の読み取り位置とを比較することにより、前記ＬＥＤを点灯させるエリアを制御可能とすることを特徴とする請求項１に記載の画像読取装置。
【請求項３】
前記制御手段は、
ユーザによりスキャンエリアが指定された場合、指定されたスキャンエリアに基づいて前記ＬＥＤを点灯させるエリアを制御可能とすることを特徴とする請求項１又は２に記載の画像読取装置。
【請求項４】
点光源であるＬＥＤを主走査方向に複数個並べて原稿を照射する照射ステップと、
前記原稿からの反射光を受光して光を電気信号に変換する変換ステップと、
強制的にハレーションを発生させるハレーション発生ステップと、
前記ハレーションの発生位置に基づいて、前記原稿に対する前記ＬＥＤの実装位置を検出するＬＥＤ実装位置検出ステップと、
前記原稿のサイズを検出する原稿サイズ検出ステップと、
前記ＬＥＤの実装位置と、前記原稿のサイズとを比較することにより、前記ＬＥＤを点灯させるエリアを判断し、判断したエリアを制御する制御ステップと、
を有することを特徴とする画像読取方法。
【請求項５】
前記原稿の読み取り方法別に、前記原稿の読み取り位置を検出する読み取り位置検出ステップを有し、
前記制御ステップでは、
前記ＬＥＤの実装位置と、前記原稿のサイズと、前記原稿の読み取り位置とを比較することにより、前記ＬＥＤを点灯させるエリアを制御可能とすることを特徴とする請求項４に記載の画像読取方法。
【請求項６】
前記制御ステップでは、
ユーザによりスキャンエリアが指定された場合、指定されたスキャンエリアに基づいて前記ＬＥＤを点灯させるエリアを制御可能とすることを特徴とする請求項４又は５に記載の画像読取方法。
【発明の詳細な説明】
【技術分野】
【０００１】
本発明は、点光源である白色ＬＥＤを主走査方向に複数個並べて線光源として用いる画像読取装置及び画像読取方法に関する。
【背景技術】
【０００２】
近年、ＬＥＤ（Light Emitting Diode）は、電子機器のバックライト、照明器具、道路表示などあらゆる分野で普及してきており、画像読取装置（スキャナ）の分野も例外ではない。画像読取装置の分野では、例えば、点光源である白色ＬＥＤを主走査方向に複数個並べることにより、従来の光源（ハロゲンランプ、冷陰極管、キセノンランプなど）と同様の線光源として使用する技術が知られている。従来の光源の使用では、光源を点灯する際の電力消費が大きい上に、セットされた原稿以外の部分にも光を照射することになり、無駄に電力を消費しているという問題があった。そこで、上述したように従来の光源に代わってＬＥＤを採用することで、将来を見据えた場合にコストを削減できること、消費電力が小さいこと、寿命が長いことなどのメリットが得られる。近年における環境保護の必要性の高まりに伴い、装置の電力消費量を軽減することはメーカの必須の対応となっていることから、ＬＥＤの採用には大きなメリットがある。
【０００３】
ＬＥＤを用いた画像読取装置の例は、特許文献１に開示されている。この特許文献１の発明は、原稿領域外からの光の漏れを防止すること、光源点灯時の電力を低減すること、原稿に対して均一な光を照射することを目的としている。これらの目的を達成するために、特許文献１の発明は、原稿サイズの検知結果に応じて、白色ＬＥＤを用いて原稿領域のみを照明するように制御する。
【発明の概要】
【発明が解決しようとする課題】
【０００４】
しかし、特許文献１の発明は、原稿領域のみを照射するときに原稿端部での光量低下が発生することを防ぐため、補助電極（補助電源手段）を設けることで原稿が置かれたエリアのみを均一な光で照射する構成となっている。つまり、特許文献１の発明は、原稿サイズを検出してＬＥＤの点灯制御を行うことで電力消費量の低減を図っているものの、ＬＥＤとは別の補助電極を設けているため、それよって電力消費量が大きくなるという問題が依然として残っている。
【０００５】
本発明は、上記事情に鑑みてなされたものであり、点光源である白色ＬＥＤを主走査方向に複数個並べることで線光源として使用する場合に、原稿面に対するＬＥＤの実装位置を精度良く検出することにより、原稿サイズに対して必要な部分だけのＬＥＤを点灯して可能な限り電力消費を低減することを目的とする。
【課題を解決するための手段】
【０００７】
本発明の画像読取装置は、点光源であるＬＥＤを主走査方向に複数個並べて原稿を照射する照射手段と、原稿からの反射光を受光して光を電気信号に変換する変換手段と、強制的にハレーションを発生させるハレーション発生手段と、ハレーションを検出するハレーション検出手段と、原稿のサイズを検出する原稿サイズ検出手段と、ＬＥＤを点灯させるエリアを制御する制御手段と、を有し、ハレーション検出手段は、ハレーションの発生位置に基づいて、原稿に対するＬＥＤの実装位置を検出し、制御手段は、ＬＥＤの実装位置と、原稿のサイズとを比較することにより、ＬＥＤを点灯させるエリアを判断することを特徴とする。
【発明の効果】
【００１４】
本発明によれば、原稿サイズに対して必要な部分だけのＬＥＤを点灯して可能な限り電力消費を低減することができる。
【図面の簡単な説明】
【００１５】
【図１】本発明の一実施形態である画像読取装置の構成の一例を示すブロック図である。
【図２】本発明の一実施形態である画像読取装置の外観の一例を示す側面図である。
【図３】本発明の一実施形態である画像読取装置の読み取りモジュールの内部構成及びハレーション発生部、基準白板、原稿読み取りガラスの位置関係を示す図である。
【図４】本発明の一実施形態である画像読取装置の光学的位置関係を示す図である。
【図５】本発明の一実施形態である画像読取装置の基準白板読み取り時のＣＣＤ出力１ライン分の出力分布を示す図である。
【図６】本発明の一実施形態である画像読取装置のハレーション発生部読み取り時において、ハレーションが発生した際のＣＣＤ出力１ライン分の出力分布を示す図である。
【図７】本発明の一実施形態である画像読取装置において、ＬＥＤ実装位置と原稿の位置関係を示す図である。
【図８】本発明の一実施形態である画像読取装置の電源がオンされたときの動作例を示すフローチャートである。
【図９】本発明の一実施形態である画像読取装置が原稿を読み取るときの動作例を示すフローチャートである。
【図１０】本発明の一実施形態である画像読取装置において、ハレーションが発生した際の画像サンプルを示す図である。
【図１１】本発明の一実施形態である画像読取装置において、原稿照射が原稿により変化する様子を示した図である。
【図１２】本発明の一実施形態である画像読取装置のハレーション発生部の構成の一例を示す図である。
【図１３】本発明の一実施形態である画像読取装置のハレーション発生部の構成の一例を示す図である。
【図１４】本発明の一実施形態である画像読取装置が点灯するＬＥＤを選択するときの一例について説明する図である。
【発明を実施するための形態】
【００１６】
以下、本発明を実施するための形態（実施形態）について添付図面を参照して詳細に説明する。
【００１７】
画像読取装置において光源としてＬＥＤを採用した場合、ＬＥＤ実装ピッチに相当する位置でハレーションが発生して画像上で目立つというデメリットがある。基本的には、光学系の最適設計により点光源を拡散させることにより、原稿に対して線光源と同様な照射をすることが理想であるが、言い換えればハレーション自体を発生させることは容易に可能である。そこで、本実施形態の画像読取装置は、まず、点光源である白色ＬＥＤを主走査方向に複数個並べることによりスキャナ構成として読み取り動作を行うに際し、強制的にハレーションを発生する手段を設けて、ハレーションが読み取り主走査方向のどの位置に発生するかを検出する。原稿エリアに対するＬＥＤ実装位置はマシン個々で変わるので、次に、本実施形態の画像読取装置は、検出したハレーションを利用してＬＥＤの実装位置を正確に把握する。そして、本実施形態の画像読取装置は、原稿台にセットされた原稿サイズを検出し、この検出したサイズと、把握したＬＥＤ実装位置とを基に、点灯するＬＥＤを選択する。このような特徴を備えることで、本実施形態の画像読取装置は、原稿サイズに対して必要な部分だけのＬＥＤを点灯して可能な限り電力消費を低減することができる。
【００１８】
図１は、本発明の一実施形態としての画像読取装置の構成例を示すブロック図である。
【００１９】
ＣＰＵ（Central Processing Unit）１は、本実施形態の画像読取装置の制御を行う。なお、本実施形態の画像読取装置が例えばＭＦＰ（Multi Function Peripheral）等の画像処理装置に搭載される場合には、ＣＰＵ１は、その画像処理装置全体を制御するＣＰＵであってもよい。
【００２０】
ＣＣＤ（Charge Coupled Device）／ＡＦＥ（Analog Front End）制御部２は、ＣＣＤ１６及びＡＦＥ８を駆動するための制御信号を出力する機能を有し、ＣＰＵ１により制御され、その設定に基付き駆動信号を出力する。
【００２１】
フラットベットモータ制御部３は、モータ６を駆動するための制御信号を出力する機能を有し、ＣＰＵ１により制御され、その設定に基付き駆動信号を出力する。
【００２２】
ＬＥＤ制御部４は、ＬＥＤ７を駆動するための制御信号を出力する機能を有し、ＣＰＵ１により制御され、その設定に基付き駆動信号を出力する。
【００２３】
駆動制御部５は、ＣＣＤ／ＡＦＥ制御部２、フラットベットモータ制御部３、ＬＥＤ制御部４の機能を有するエレキモジュールであり、ＣＰＵ１から制御される。
【００２４】
フラットベットモータ６は、読み取りモジュールを駆動して原稿を走査するためのモータである。原稿台に置かれた原稿を読み取る際に制御される。
【００２５】
ＬＥＤ７は、原稿照射用のスキャナ用光源である。本実施形態では、主走査方向に複数個並べることにより原稿面上で均一な光量となるように実装される。
【００２６】
ＡＦＥ８は、ＣＣＤ１６から出力されるアナログ画像信号をデジタルデータに変換するエレキモジュールである。ＡＦＥ８は、出力されるデジタルデータの暗オフセットレベル調整及び明出力調整機能も有する。
【００２７】
ハレーション検出部９は、ハレーション発生部１１からの反射光がＣＣＤ１６に入射され、ＡＦＥ８にて変換されたデジタルデータからハレーション発生の有無を検出する。また、ハレーション検出部９は、読み取り光源として配置された複数のＬＥＤ光源の位置関係と、ハレーションにより出力レベルが局所的に高くなった画素位置を検出する。
【００２８】
画像処理部１０は、ＡＦＥ８から出力されたスキャナデジタル画像データを画像処理する。また、画像処理部１０は、暗出力補正、シェーディング補正、ガンマ補正などの処理を行うとともに、ハレーション発生位置での画像信号レベルを確認する。
【００２９】
ハレーション発生部１１は、光源であるＬＥＤ７からＣＣＤ１６までの光路上にハレーションを強制的に発生させる。このハレーション発生部１１は、読み取りモジュールがここを操作することにより必ずハレーションが発生する光学的、物理的な形状とする。
【００３０】
スキャナ原稿サイズ検知部１２は、スキャナの原稿台の上に置かれた原稿サイズを検出するためのセンサである。
【００３１】
ＡＤＦモータ制御部１３は、モータ１４を駆動するための制御信号を出力する機能を有し、ＣＰＵ１により制御され、その設定に基付き駆動信号を出力する。
【００３２】
ＡＤＦモータ１４は、原稿を搬送して読み取り動作を行う際に制御されるモータである。
【００３３】
ＡＤＦ原稿サイズ検知部１５は、ＡＤＦにセットされた原稿サイズを検出するためのセンサである。
【００３４】
ＣＣＤ１６は、原稿からの反射光を電気信号に変換する読み取りデバイスである。
【００３５】
メモリ１７は、各種データを一時的に保管するメモリである。メモリ１７は、ハレーション検出部９により検出されたハレーション発生位置の情報も格納しておく。
【００３６】
図２は、図１に示した本実施形態の画像読取装置の外観の一例を示す側面図である。
【００３７】
スキャナユニット２１、ＡＤＦ２２は、原稿有り無しを検出して自動的に原稿を搬送するユニットであり、それぞれ図１において破線で囲まれた部分に相当する。
【００３８】
原稿圧板２３は、原稿台にセットされた原稿を押さえるための圧板である。
【００３９】
ガラス台２４は、原稿が置かれるガラスである。
【００４０】
読み取りモジュール２５は、読み取りデバイスであるＣＣＤ１６及び光源であるＬＥＤ７などが実装されたモジュールである。図１においてスキャナユニット内の破線で囲まれた部分に相当する。フラットベットで読み取る際には、この読み取りモジュール２５が原稿エリアで移動することにより、読み取り動作が行われる。ＡＤＦで読み取る際には、ＡＤＦ読み取り位置にこの読み取りモジュール２５が移動して原稿をＡＤＦで搬送することにより、読み取り動作が行われる。
【００４１】
図３は、図２に示した本実施形態の画像読取装置の概略構成の詳細について説明する図である。図３では、画像読取装置内部の読み取りモジュールの内部構成、ハレーション発生部、基準白板、フラットベットスキャン時の原稿読み取り位置、ＡＤＦでの原稿読み取り位置の関係を示している。
【００４２】
ＣＣＤ３０は、ＳＢＵ（Sensor Board Unit）上に実装される読み取りデバイスである。原稿からの反射光がレンズで集光されＣＣＤ上で結像される。ＣＣＤ３０は、図１のＣＣＤ１６に相当する。
【００４３】
レンズ３１は、原稿からの反射光を集光するためのレンズである。
【００４４】
ＬＥＤ基板３２は、読み取り用の光源であるＬＥＤ３３を実装した基板である。
【００４５】
ＬＥＤ３３は、読み取り用の光源であり、ＬＥＤ基板３２上において主走査方向に複数個実装されている。ＬＥＤ３３は、図１のＬＥＤ７に相当する。ＬＥＤ駆動信号は、図１のＬＥＤ制御部４よりＬＥＤ基板３２に入力される。
【００４６】
ミラー３４は、原稿からの反射光を折り返すためのミラーである。図３の例では１枚しか図示していないが、実際には複数枚のミラーで構成される。
【００４７】
ＳＢＵ３５は、Sensor Board Unitの略で、ＣＣＤ３０を実装する読み取り用基板である。
【００４８】
ＡＤＦ用原稿ガラス３６は、原稿をＡＤＦで搬送して読み取りを行う際のガラスである。ＡＤＦで読み取る際には、読み取りモジュールをこのガラス下部に移動させ、このガラス上を原稿が異動することにより読み取りを行う。
【００４９】
ハレーション発生部３７は、光源を点灯した状態でこの部分を読み取った場合、強制的にハレーションを発生する部分である。ハレーション発生部３７は、図１のハレーション発生部１１に相当する。なお、ハレーション発生部３７の構成については、図１２、１３を用いて後述する。
【００５０】
基準白板３８は、白レベルの基準となる部材である。この基準白板３８を読み取ることにより、図１のＡＦＥ８での白レベル調整やシェーティング補正用のデータとして使用する。
【００５１】
フラットベット用原稿ガラス３９は、フラットベット読み取り用のガラスである。このガラス上に原稿が置かれると、読み取りモジュールはこのガラス下部を移動して原稿を走査する。読み取りモジュールの移動は、図１のフラットベットモータ制御部３より出力されるパルス情報に基付きモータが駆動することにより移動する。
【００５２】
読み取りモジュール４０は、ＣＣＤ３０、レンズ３１、ＬＥＤ基板３２とＬＥＤ３３（光源）、ミラー３４により構成されるモジュールである。
【００５３】
図４は、画像読取装置の光学的位置関係について説明する図である。図４では、光源であるＬＥＤ３３と読み取りデバイスであるＣＣＤ３０の位置関係（上方から見た位置関係）を示している。
【００５４】
図４に示すように、ＬＥＤ基板３２に実装された複数のＬＥＤ３３が発光すると、レンズ３１で集光され、ＳＢＵ３５に実装されたＣＣＤ３０で結像される。
【００５５】
図５は、基準白板読み取り時のＣＣＤ出力１ライン分の出力分布を示す図である。図５では、ＬＥＤ３３が発光して基準白板を照射した反射光がＣＣＤ３０に入射し、ＣＣＤから出力されるアナログ画像データをＡＦＥにてデジタルデータに変換した時の１ライン分の主走査方向での分布を示している。
【００５６】
点光源であるＬＥＤ３３を複数個並べて、その光を読み取りモジュール内部で光学的に拡散させた状態で原稿を照射させるので、原稿面の１ラインでは、ほぼ均一な光が照射される。この結果、図５のグラフに示すように、画像データの分布も均一になる。つまり、原稿面に対して均一な光が照射されている場合、ＬＥＤ実装位置を検出するのは困難である。
【００５７】
図６は、ハレーション発生部読み取り時、ハレーションが発生した際のＣＣＤ出力１ライン分の出力分布を示す図である。図６は、図５と同様に、１ライン分の主走査方向での分布を示している。
【００５８】
ハレーション発生部３７を走査した際は、図５に示した基準白板読み取り時のように、均一な光はＣＣＤ３０に入射せずに、複数個並んだＬＥＤ３３のピッチに相当する画素数の間隔置きに強い光が入射することになる。よって、図６のグラフに示すように、ＣＣＤ３０から出力されるアナログ画像データは周期的に高い出力となる。ハレーション発生部３７にて強制的にハレーションを発生させているため、図６のグラフのような分布となる。読み取りモジュールで、このハレーション発生部３７を走査した際、ＬＥＤピッチに相当する位置の画像レベルをピークホールドすることにより、ＬＥＤ実装位置を検出することが可能である。よって、本実施形態では、この方法を採用する。
【００５９】
図７は、ＬＥＤ実装位置と原稿の位置関係を示した図である。以下、図７を用いて説明する。
【００６０】
ＣＣＤ３０は、ＣＣＤ３０へ供給される１ライン同期信号を基準にある固定画素後（図中Ａ）からＣＣＤ有効画素が開始される。この信号に同期した１ライン同期信号（レジスト調整込み）は原稿面でのレジスト位置になるように位相が調整される（レジスト調整）。この１ライン同期信号（レジスト調整込み）を基準にある固定画素後（図中Ｂ）がレジスト位置（フラットベットの原稿読取開始位置）となる。フラットベット読取の場合は通常原稿台奥側が基準位置となり、ＡＤＦ読取の場合には光軸センタが読み取りセンター位置になる（マシン固有）。よって、フラットベットとＡＤＦでは主走査方向に読み取る位置が異なる場合が多い。
【００６１】
このように、ＬＥＤ実装位置の検出は、上記レジスト調整込みの１ライン同期信号を基準にハレーション発生位置を検出することにより原稿エリアに対するＬＥＤの実装位置の検出が可能となる。
【００６２】
図１４は、点灯するＬＥＤの選択について説明する図である。
【００６３】
ＬＥＤ実装位置とレジスト位置の関係はマシン個々で異なる。よって、同じ原稿サイズを検出してもＬＥＤ点灯位置を変更する必要がある。
【００６４】
図１４に示すように、ＬＥＤｎ−１とＬＥＤｎの間が原稿サイズの端部と検出された場合、原稿範囲を超えるＬＥＤｎまでの点灯する必要がある。ＬＥＤの実装ピッチが広いシステムの場合、場合によってはＬＥＤｎ＋１まで点灯する必要があるかもしれない。これは端部での光量低下を加味してシステム毎に最適化することが必要である。
【００６５】
図８は、画像読取装置の電源がオンされたときの動作例を示すフローチャートである。
【００６６】
画像読取装置の電源が投入されると（Ｓ６０）、ＣＰＵ１は、ＬＥＤ制御部４を介して全てのＬＥＤ７（又は３３）を点灯する（Ｓ６０）。
【００６７】
ＣＰＵ１は、フラットベットモータ制御部３を介してフラットベットモータ６を起動し、読み取りモジュール４０をハレーション発生位置（ハレーション発生部１１又は３７）まで移動させる（Ｓ６２）。
【００６８】
読み取りモジュール４０をハレーション発生位置まで移動させたら、ＣＣＤ１６は、１ライン毎に主走査方向全画素のピーク値を更新していく（Ｓ６３）。このピーク値の更新は、ハレーション発生位置が終了するまで行われる（Ｓ６４／ＮＯ）。
【００６９】
ハレーション発生位置が終了するまで読み取り動作を行ったら（Ｓ６４／ＹＥＳ）、ハレーション検出部９は、そのピーク値を基にハレーション発生位置（すなわちＬＥＤ実装位置）を検出する（Ｓ６５）。
【００７０】
ＣＰＵ１は、１ライン同期信号（レジスト調整込み）を基準としたＬＥＤ実装位置の情報をメモリ１７内に保存して終了する（Ｓ６６）。再度、画像読取装置の電源オフ、オンが実施された場合には上述した制御を実施する。
【００７１】
図９は、画像読取装置が原稿を読み取るときの動作例を示すフローチャートである。
【００７２】
画像読取装置に実装された操作部（図示せず）よりユーザがコピーを起動する、あるいいは、画像読取装置外部の機器（例えばパソコン）からスキャナアプリとしてスキャンが実行されたことをＣＰＵ１が検出する（Ｓ４０／ＹＥＳ）。
【００７３】
フラットベット読取の場合にはスキャナに実装されている原稿サイズセンサの情報、ＡＤＦ読取の場合にはＡＤＦに実装されている原稿サイズセンサの情報から、スキャナ原稿サイズ検知部１２は、原稿サイズを検出する（Ｓ４１）。また、原稿サイズとは無関係にスキャナアプリでスキャンエリアがユーザにより指定された場合は、スキャナ原稿サイズ検知部１２は、そのスキャンエリアを検出する。
【００７４】
ＣＰＵ１は、Ｓ４１で検出した原稿サイズあるいはスキャンエリアの情報と、電源オン時に検出済であるＬＥＤ実装位置の情報を基に、スキャンのときに点灯するＬＥＤを選択する（Ｓ４２）。その後、ＣＰＵ１は、その選択を基に、ＬＥＤの点灯制御を行う。
【００７５】
ＣＰＵ１は、読み取りモジュールを基準白板下部に移動させて（Ｓ４３）、シェーディング補正用のデータを取得後（Ｓ４４）、原稿ガラス上に置かれた原稿あるいはＡＤＦにセットされた原稿を走査することにより（Ｓ４５）、読み取り動作を完了する。
【００７６】
図１０は、実際にハレーションが発生した際の画像サンプルを示す図である。図１０に示すように、ＬＥＤの配列ピッチに相当する位置に、局部的に光強度の強くなった画像が確認できる。ハレーションは、本などを開いた状態で原稿ガラスに置いた際、綴じシロ部分などの様にガラス面から浮いた状態のものを読み取った際に確認しやすい現象である。この現象が発生する理由は、綴じシロ部分の湾曲部分で反射した光が読み取りの光軸上に正反射光として直接入射してしまうためである。
【００７７】
図１１は、原稿照射が原稿により変化する様子を示す図である。
【００７８】
図１１の左図に示すように、平面原稿読み取り時には、原稿に照射された光は照射角度に応じて反射する成分（１）と、読み取り光軸上にへの成分（２）が発生する。これに対して、図１１の右図に示すように、立体原稿読み取り時には、原稿に照射された光は正反射成分として強度の強い光として光軸上にそのまま入力されてしまう場合がある。
【００７９】
図１２は、本実施形態におけるハレーション発生部の構成の一例を示す図である。
【００８０】
ハレーションは、光源からの光が原稿で照射されその際の正反射作用の影響で強い光強度のままＣＣＤへ入射してしまう時に顕著になる現象である。よって、図１２に示すように、ハレーション発生部３７を、副走査方向へ湾曲した物理形状とし、読み取りモジュール４０でハレーション発生部３７を走査するようにする。これにより、副走査方向でのいずれかの場所で正反射光が光軸上に入射し、強制的にハレーションを発生させることが可能となる。
【００８１】
図１３は、本実施形態におけるハレーション発生部の構成の一例を示す図である。
【００８２】
図１３に示すハレーション発生部３７は、図１２と逆方向に湾曲している開口角の広い部材（ミラーなど）を想定したものである。あらゆる角度からの光を集光可能な光学的特性を有するものなどが考えられる。車内に設置するバックミラーや、近年では道路の曲がり角などで衝突防止のために、このようなミラーが設置されているのを見かける（ＦＦミラー等と呼ばれている）。このような光学的特性を有する部材（ハレーション発生部３７）の下を読み取りモジュール４０で走査するようにする。これにより、いずれかの場所で正反射光が光軸上に入射し、強制的にハレーションを発生させることが可能となる。
【００８３】
以上説明したように、本実施形態の画像読取装置は、まず、点光源である白色ＬＥＤを主走査方向に複数個並べることによりスキャナ構成として読み取り動作を行うに際し、強制的にハレーションを発生する手段を設けて、ハレーションが読み取り主走査方向のどの位置に発生するかを検出する。次に、本実施形態の画像読取装置は、検出したハレーションを利用してＬＥＤの実装位置を正確に把握する。次に、本実施形態の画像読取装置は、原稿台にセットされた原稿サイズを検出し、この検出したサイズと、把握したＬＥＤ実装位置とを基に、点灯するＬＥＤを選択する。従って、本実施形態の画像読取装置は、原稿サイズに対して必要な部分だけのＬＥＤを点灯して可能な限り電力消費を低減することができる。
【００８４】
以上、本発明の実施形態について説明したが、上記実施形態に限定されるものではなく、その要旨を逸脱しない範囲において種々の変形が可能である。
【００８５】
例えば、上述した実施形態における動作は、ハードウェア、または、ソフトウェア、あるいは、両者の複合構成によって実行することも可能である。
【００８６】
ソフトウェアによる処理を実行する場合には、処理シーケンスを記録したプログラムを、専用のハードウェアに組み込まれているコンピュータ内のメモリにインストールして実行させてもよい。あるいは、各種処理が実行可能な汎用コンピュータにプログラムをインストールして実行させてもよい。
【００８７】
例えば、プログラムは、記録媒体としてのハードディスクやＲＯＭ（Read Only Memory）に予め記録しておくことが可能である。あるいは、プログラムは、ＣＤ−ＲＯＭ（Compact Disc Read Only Memory），ＭＯ（Magneto Optical）ディスク，ＤＶＤ（Digital Versatile Disc）、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００８８】
なお、プログラムは、上述したようなリムーバブル記録媒体からコンピュータにインストールする他、ダウンロードサイトから、コンピュータに無線転送してもよい。または、ＬＡＮ（Local Area Network）、インターネットといったネットワークを介して、コンピュータに有線で転送してもよい。コンピュータでは、転送されてきたプログラムを受信し、内蔵するハードディスク等の記録媒体にインストールすることが可能である。
【００８９】
また、上記実施形態で説明した処理動作に従って時系列的に実行されるのみならず、処理を実行する装置の処理能力、あるいは、必要に応じて並列的にあるいは個別に実行するように構築することも可能である。
【符号の説明】
【００９０】
１    ＣＰＵ
２    ＣＣＤ／ＡＦＥ制御部
３    フラットベットモータ制御部
４    ＬＥＤ基板制御部
５    駆動制御部
６    フラットベットモータ
７    ＬＥＤ
８    ＡＦＥ
９    ハレーション検出部
１０    画像処理部
１１    ハレーション発生部
１２    スキャナ原稿サイズ検知部
１３    ＡＤＦモータ制御部
１４    ＡＤＦモータ
１５    ＡＤＦ原稿サイズ検知部
１６    ＣＣＤ
１７    メモリ
２１    スキャナユニット
２２    ＡＤＦ
２３    原稿圧板
２４    ガラス台
２５    読み取りモジュール
３０    ＣＣＤ
３１    レンズ
３２    ＬＥＤ基板
３３    ＬＥＤ
３４    ミラー
３５    ＳＢＵ
３６    ＡＤＦ用原稿ガラス
３７    ハレーション発生部
３８    基準白板
３９    フラットベット用原稿ガラス
４０    読み取りモジュール
【先行技術文献】
【特許文献】
【００９１】
【特許文献１】特開２００６−１１５２８８号公報
【図１】
0005493665.tif 000002
【図２】
0005493665.tif 000003
【図３】
0005493665.tif 000004
【図４】
0005493665.tif 000005
【図５】
0005493665.tif 000006
【図６】
0005493665.tif 000007
【図７】
0005493665.tif 000008
【図８】
0005493665.tif 000009
【図９】
0005493665.tif 000010
【図１０】
0005493665.tif 000011
【図１１】
0005493665.tif 000012
【図１２】
0005493665.tif 000013
【図１３】
0005493665.tif 000014
【図１４】
0005493665.tif 000015